(57)【要約】【課題】従来の犬のフン処理具においては、犬が路上に排泄したフンに、紙にビニールなどを被せた袋状のものに手を入れて掴み取る方法、または、フンに紙などを被せて挟み取る器具を使い、拾い集める方法などが主であ。しかし、臭く手間がかるため、拾わずに放置するものが多く社会問題となっている。【解決手段】フンを受け入れる袋口の形状を、略扇状に開閉可能に形成したフン受け袋１を設け、且つ、該フン受け袋１の袋口の適宜位置に封着手段（粘着剤、剥離紙付）を設けて、犬が排泄するフンを路上で受け、パック（袋詰め）した状態にして処理することを特徴とする。【選択図】図１
2007289139.tif 000002
【特許請求の範囲】
【請求項１】
携帯する犬のフン処理用具において、フンを受け入れる袋口の形状を、略扇状に開閉可能に形成したフン受け袋を設け、且つ、該フン受け袋の袋口の適宜位置に封着手段を設けたことを特徴とする犬のフン処理具。
【請求項２】
前記フン受け袋を保持可能にした所要形状の袋ホルダーを設け、且つ、該袋ホルダーの適宜位置に開閉手段を設けて開閉可能にし、該袋ホルダーと前記フン受け袋を連動して開閉させることを特徴とする、請求項１記載の犬のフン処理具。
【請求項３】
前記、フン受け袋の背面と底面の位置に、所要素材で背面に背板を設け、底面に底板を設けて取り付けるとともに、該背板の背面と底板の後部間に引き合い手段を設けて、フン受け袋を自動的に開かせることを特徴とする、請求項１記載の犬のフン処理具。
【発明の詳細な説明】
【技術分野】
【０００１】  本発明は、犬と散歩中に犬が路上に排泄したフンを処理するようにした、犬のフン処理具に関する。
【背景技術】
【０００２】  従来の犬のフン処理方法は、犬が路上に排泄したフンを、ビニールで覆った紙袋の中に手を入れてフンを掴み取る方法。または、フンに紙を被せて上から器具で挟み取る方式などがある。何れも犬が路上に排泄したフンを掴み取り拾い上げる方式のものが主である。従って、路上に排泄したフンをとる場合は、フンが路面に付着するために取りづらく、また、取った後を拭いても完全に取れない場合が多く、悪臭も残り不衛生である。【０００３】  上記のフン処理方法では、臭く手間がかかるため犬が路上にフンを排泄しても、そのまま放置することが多く見受けられる。
【発明の開示】
【発明が解決しようとする課題】
【０００４】  上述の如く、従来技術に係る犬のフン処理具は、路上に落ちたフンを取る種類のものが主で、フンが路上に落ちて付着すれば取りづらく手間もかかる。また、フンを取った後を拭いても、ざらついた路面等では取りきれず悪臭も残り不衛生である。現在は散歩させる犬の数も増えており、路上、または他人の門前にフンを排泄しても、臭く手間のかかる後始末を嫌い、そのまま放置する場合が多く社会問題となっている。本発明はこのような点に鑑み、衛生的な方法で、迅速、且つ、容易にフン処理を行えるようにしたものである。
【課題を解決するための手段】
【０００５】  上述の課題を解決させるため、本発明の犬のフン処理具は、フンを受け入れる袋口の形状を、略扇状に開閉可能に形成したフン受け袋を設け、且つ、該フン受け袋の袋口の適宜位置に封着手段（粘着剤、剥離紙付）を設けたことを特徴とする。【０００６】  また、上記のフン受け袋に合せて、フン受け袋を保持可能にした所要形状の袋ホルダーを設け、且つ、該袋ホルダーの適宜位置に開閉手段を設けて開閉可能にし、該袋ホルダーと前記フン受け袋を連動して開閉させるようにする。
【発明の効果】
【０００７】  以上説明したように本発明によれば、犬と散歩中に犬がフンをする体勢になったとき、本発明の犬のフン処理具を犬の尻下に置けば、前記、袋ホルダーの作用によってフン受け袋の袋口がフンを受けやすい扇状に開く仕組みで、犬が排泄したフンが路上に落ちる前にフンをフン受け袋へ容易に受け入れることができる。また、フン受け袋の中に入ったフンは袋口に設けた封着手段で袋口を封じ、パック（袋詰め）した状態で持ち帰ることができるので、衛生的、且つ迅速容易にフン処理を行うことが出来る。【０００８】  上述の如く本発明によって、従来作業のような路上に落ちたフンを、紙にビニールなどを被せ、それを手で取って袋に入れる。または、路上にあるフンに紙等を被せて器具を使って挟み取りビニール袋等に入れる。そしてフンを取った後は、汚れた路面を拭かなければならない（しかし洗い流さなければ悪臭が残る。）等々、臭く手間のかかる従来の作業が、本発明の実施によって不要となる。従って犬のフン処理が容易になれば、犬のフンを取らずに放置することも少なくなり、犬のフン害による社会問題も減少する。
【発明を実施するための最良の形態】
【０００９】  以下、本発明の実施の形態を図面に基づき詳細に説明する。図１〜図４は本発明の第１の実施の形態に係り、図１はフン受け袋の外観斜視図、図２は袋ホルダーでフン受け袋を保持し開いた状態から、袋ホルダーを閉めた状態を示す側面図、図３はフン受け袋にフンを袋詰めし接着した状態の外観斜視図、図４は、フン受け袋の背面と底面に、背板と底板を取りけた状態を示す側面図である。【００１０】  図１に示すように、フン受け袋１は袋口が略扇状に開閉するように形成されフンを受け入れ易くしている。また、その袋口背面の上方縁と、袋口底面の前方縁を若干長くして裏側へ折返し、折返し部２と折返し部２Ａを形成し、且つ、それぞれ折返した左右の端部を開かぬように接着（糊付け）する。（ただし図１〜図４では説明を分かりやすくするため接着していない）また、折返し部２Ａの上面には粘着剤３（剥離紙付）を設けて取り付け、折返し部２と折返し部２Ａを接着可能にしている。また、フン受け袋１の側面の左右には、フン受け袋１を折りたたみ容易にするため折り目１Ａを設けている。【００１１】  図２は、合成樹脂板でフン受け袋に合せて形成した、袋ホルダー４と４Ａを設けるとともに、それらを開閉部材５（蝶番）で連結している。袋ホルダー４の上方には提手９と回動する掛止具８を設けて軸７で取り付け、更に若干下がった位置に袋掛け部６を設けて取り付けている。また袋ホルダー４Ａの先端部は袋掛け部６Ａとなっている。袋ホルダー４Ａの下部にある脚１０は地面に接する袋ホルダー４Ａを保護する。【００１２】  図２で示すように、袋ホルダー４と４Ａでフン受け袋１を保持する仕組みは、フン受け袋１の折返し部２と２Ａに袋掛け部６と６Ａの先端をそれぞれ差込み、保持するようにしているいる。【００１３】  袋ホルダー４と４Ａは開閉部材５（蝶番）で開閉可能になっており、図２では袋ホルダー４Ａが開いた状態から、想像線で示すように閉まった状態となっていて、それを、掛止具８の掛け止めによって保持している。またフン受け袋１を開くときは、掛止具８の上を指で押すと軸７を中心に掛止具８が回り、袋ホルダー４Ａが外れて開き、連動してフン受け袋１が開く仕組みとなっている。【００１４】  図３は、フン受け袋１にフンを収納した状態で、折返し部２Ａの上面に設けた粘着剤３の剥離紙を取り、折返し部２と２Ａを合わせて接着させ、パック状態にして処理するようにしたものである。【００１５】  図４は、フン受け袋１を単独で使用可能にしたもので、フン受け袋１の背面に沿わせた厚紙で、背板１１を設けて取り付けるとともに、底面にも厚紙で底板１２を設けて取り付ける。また、その底板１２の後部は背板１１より後方へ若干出る寸法に形成する。そして、その後方に出た部分と、前記背板１１の背面とを輪ゴム１３で連結し引き合せる。輪ゴム１３の取り付けは、背板１１の背面の上方部と、底板１２の後部の位置に切れ目（図示せず）を入れて、その切れ目に輪ゴム１３を掛けて取り付ける。これを折り畳んだ場合は、フン受け袋１の袋口に開き止めテープ（図示せず）等を設けてかるく止め、開かないようにする。使用時には、テープを取り底板１２の方を下にして路上に置けば、背板１１と底板１２の後部が、輪ゴム１３���引く力によって引き合い背板１１が立ち、連動してフン受け袋１が開く仕組みとなっている。また、背板１１を立ち上げる場合、ゴム以外の方法では、背板１１と底板１２間に弾発素材を用い、背板１１を押し立てる方法でもよい。
【実施例】
【００１６】  本発明のフン処理具は、前記、（発明を実施するための最良の形態）でその構成を記載したが、袋ホルダー全体の概略寸法は、Ｗ１５０ミリ×Ｈ２２０ミリ×Ｄ３０ミリとコンパクトなものであり、フン受け袋１は、折り畳んだ状態でＷ１５０ミリ×Ｈ１５０ミリ×Ｄ３ミリぐらいである。構成素材は、前記の袋ホルダー４と４Ａ等を合成樹脂板で形成し、開閉部材５はステンレス製の蝶番を用い、掛止具８、提手９、及び脚１０はアルミ材で形成し軽量化している。フン受け袋１は、犬のフンに水分があるため防水紙で形成している。また、該防水紙は、雪、雨の日でも使用できる。【００１７】  本発明は上述の如く軽量、且つ、コンパクトであり長時間持ち歩いても疲れず、操作も、掛止具８を押せばフン受け袋１が開き容易にフンを受けることができる。また、フンを受け入れた後は、フン受け袋１の粘着剤３の剥離紙を取り、袋ホルダー４Ａを上げて袋ホルダー４に合せれば、図３のように折返し部２と２Ａが接着して、パック（袋詰め）された状態となる。また、フン受け袋１を袋ホルダーから外すときは、袋口上方の両端部をつまんで上げれば、折返し部２と２Ａから、袋掛け部６と６Ａが抜けて簡単に外れ、また、逆の操作をすれば、フン受け袋１を簡単に取り付けることができる。【００１８】  図４は、フン受け袋１を単独で使用可能にしたもので、小型犬などに用いると便利である。構造は０．６ミリ程度の厚紙を用い、フン受け袋１の背面に背板１１を設けて取り付け、底面には底板１２を背板１１よりも若干後方へ出る長さにして設け取り付ける。更に、フン受け袋１を自動的に開かせるため、背板１１の背面上方の位置と、底板１２の後方に出ている部分に、輪ゴムを掛けるための切れ目をいれ、そこへ輪ゴム１３（市販品）を掛け渡し、輪ゴム１３の引く力によって前記背板１１を自動的に起立させるようにする。従って、フン受け袋１の袋口は、背板１１の起立と連動して自動的に開くようになる。【００１９】  上記は、ほぼオール紙製で寸法別の製作も容易であり、体格の違う各種の犬に合わせて容易に作ることができる。使用するときは、袋口の開き止めテープ（図示せず）を取って、犬の尻下に置くと、輪ゴム１３の引く力によって、背板１１の背面と底板１２の後部が引き合い、背板１１が立つと同時に袋口が開き、フンを受け入れる状態となる。フン受け袋１にフンを受け入れた後は、折返し部２Ａ上面の粘着剤３の剥離紙を取り、折返し部２と２Ａを合せて接着すれば、フン受け袋１がパックされた（袋詰め）状態となり、衛生的に持ち帰ることができる。【００２０】  上述の如く、本発明は軽量コンパクトであり、且つ、簡単な操作で扱うことができるので、子供等による犬の散歩時にも容易に使うことができる。【００２１】  以上、本発明は、犬のフン処理において、衛生的に、そして手間をかけずにフンの後始末ができることから、散歩中に犬のフンを放置することも少なくなり、犬の糞害よる社会問題も減少する。
【産業上の利用可能性】
【００２２】  本発明は、犬のフン処理用具を製造、販売する産業分野で利用することができる。
【図面の簡単な説明】
【００２３】
【図１】本発明のフン受け袋の外観斜視図である。
【図２】図１のフン受け袋を保持した、袋ホルダーの側面図である。
【図３】図１のフン受け袋に、フンを収納しパックした状態の外観斜視図である。
【図４】図１のフン受け袋に、背板と、底板を取り付けた側面図である。
【符号の説明】
【００２４】１          フン受け袋
１Ａ        折り目
２、２Ａ    折返し部
３          粘着剤（剥離紙付）
４、４Ａ    袋ホルダー
５          開閉部材
６、６Ａ    袋掛け部
７          軸
８          掛止具
９          提手
１０        脚
１１        背板
１２        底板
１３        輪ゴム
【図１】
2007289139.tif 000003
【図２】
2007289139.tif 000004
【図３】
2007289139.tif 000005
【図４】
2007289139.tif 000006